(57)【特許請求の範囲】
【請求項１】
第１の無線通信方式の物理層及びデータリンク層を用いて対向装置との間で前記第１の無線通信方式の第１のデータ転送を行い、かつ、前記第１の無線通信方式とは異なる第２の無線通信方式の物理層及びデータリンク層を用いて対向装置との間で前記第１の無線通信方式で前記第１のデータ転送より高速の第２のデータ転送を行い、更に、前記第２の無線通信方式の物理層及びデータリンク層を用いて対向装置との間で前記第２の無線通信方式の第３のデータ転送を行う無線通信装置であって、
前記第２のデータ転送を指示されたとき、前記第２の無線通信方式の物理層及びデータリンク層が前記第３のデータ転送を行う動作を制限する動作制限手段
を有することを特徴とする無線通信装置。
【請求項２】
請求項１記載の無線通信装置において、
前記動作制限手段は、前記第２のデータ転送の指示により、前記第１の無線通信方式の第１のデータ転送を用いて前記対向装置との間で前記第２のデータ転送を行うためのネゴシエーションを行う前に、前記第２の無線通信方式の物理層及びデータリンク層が前記第３のデータ転送を行う動作を停止させる
ことを特徴とする無線通信装置。
【請求項３】
請求項１記載の無線通信装置において、
前記動作制限手段は、前記第２のデータ転送の指示により、前記第１の無線通信方式の第１のデータ転送を用いて前記対向装置との間で前記第２のデータ転送を行うためのネゴシエーションを行った後に、前記第２の無線通信方式の物理層及びデータリンク層が前記第３のデータ転送を行う動作を停止させる
ことを特徴とする無線通信装置。
【請求項４】
請求項１記載の無線通信装置において、
前記動作制限手段は、前記第２のデータ転送の指示により、前記第１の無線通信方式の第１のデータ転送を用いて前記対向装置との間で前記第２のデータ転送を行うためのネゴシエーションを行った後に、前記第２の無線通信方式の物理層及びデータリンク層に対する前記第３のデータ転送の要求を受け付けを拒否し、前記第２の無線通信方式の物理層及びデータリンク層に対する前記第２のデータ転送の要求を受け付ける
ことを特徴とする無線通信装置。
【請求項５】
請求項４記載の無線通信装置において、
前記動作制限手段は、前記第２のデータ転送のための前記第２の無線通信方式の物理層及びデータリンク層の識別名を前記対向装置に対して公開する
ことを特徴とする無線通信装置。
【請求項６】
請求項２又は３記載の無線通信装置において、
前記停止手段は、前記第２の無線通信方式の物理層及びデータリンク層からのリンク確立要求の送信を停止して前記第３のデータ転送を行う動作を停止させる
ことを特徴とする無線通信装置。
【請求項７】
請求項２又は３記載の無線通信装置において、
前記停止手段は、前記第２の無線通信方式の物理層及びデータリンク層でのリンク確立要求の受信を停止して前記第３のデータ転送を行う動作を停止させる
ことを特徴とする無線通信装置。
【発明の詳細な説明】
【技術分野】
【０００１】
本発明は、移動通信端末装置を含む無線通信装置に関する。
【背景技術】
【０００２】
近年、２．４ＧＨｚ帯はブルートゥース（登録商標）やＷＬＡＮ（Ｗｉｒｅｌｅｓｓ  ＬＡＮ：無線ＬＡＮ）などの無線装置で利用されている。
【０００３】
ブルートゥース（登録商標）３．０＋ＨＳ（Ｈｉｇｈ  Ｓｐｅｅｄ）は近距離無線通信方式であるブルートゥース（登録商標、以下「ＢＴ」と略す）の高速化規格である（非特許文献１参照）。ＢＴ３．０＋ＨＳは物理層及びデータリンク層に該当する部分で従来のＢＴ方式とＷＬＡＮ方式の両方を使えるようにしており、機器間で大容量データを高速転送する際はＢＴからＷＬＡＮに切り替える。ＷＬＡＮについては非特許文献２で規格化されている。
【０００４】
なお、ＢＴ３．０＋ＨＳは，ＷＬＡＮの通信方式を取り込むに当たって次の二つの技術を新たに採用している。第１はＡＭＰ（Ａｌｔｅｒｎａｔｅ  Ｍｅｄｉａ  ａｃｃｅｓｓ  ｃｏｎｔｒｏｌ  ａｎｄ  Ｐｈｙｓｉｃａｌ）であり、第２はＰＡＬ（Ｐｒｏｔｏｃｏｌ  Ａｄａｐｔａｔｉｏｎ  Ｌａｙｅｒ）である。実際に大容量データを高速転送する場合、データを転送する機器間をＢＴで接続する。その後、機器間で大容量のデータを転送するためにアプリケーションが通信方式をＢＴからＷＬＡＮに切り替える。この切り替え先となるのがＡＭＰであり、ＡＭＰはＢＴアプリケーションとＷＬＡＮの物理層との間でデータやコマンドをやりとりする。ＰＡＬは送受信するデータやＢＴのコマンドをＷＬＡＮで扱えるようにするための変換を行っている。
【０００５】
ところで、コントローラー部でＢＴ（ＢＲ／ＥＤＲ）通信を実施し、ＢＴ（ＢＲ／ＥＤＲ）とＢＴ（ＷＬＡＮ）の信号に対して通信処理を実施する。そして、ＢＴ（ＢＲ／ＥＤＲ）とＢＴ（ＷＬＡＮ）のいずれかを選択し、管理部で送信信号を生成する。ＷＬＡＮ通信制御部では無線ＬＡＮ送信信号とＢＴ（ＷＬＡＮ）信号の送信制御を行い、ＷＬＡＮ無線部では無線ＬＡＮ信号とＢＴ（ＷＬＡＮ）信号を送受信する。ＷＬＡＮ無線部が受信した信号がＢＴ（ＷＬＡＮ）信号である場合には管理部へ出力し、ＷＬＡＮ信号である場合にはブリッジ部へ出力する無線通信装置が提案されている（例えば特許文献１参照）。
【先行技術文献】
【特許文献】
【０００６】
【特許文献１】特開２０１１−３５６３２号公報
【非特許文献】
【０００７】
【非特許文献１】Ｂｌｕｅｔｏｏｔｈ  Ｓｐｅｃｉｆｉｃａｔｉｏｎ  ｖｅｒｓｉｏｎ３．０＋ＨＳ
【非特許文献２】ＩＥＥＥ  Ｓｔｄ  ８０２．１１（２００７）
【発明の概要】
【発明が解決しようとする課題】
【０００８】
ＢＴ３．０＋ＨＳとＷＬＡＮをサポートする移動通信端末装置において、ＷＬＡＮのＭＡＣ／ＰＨＹ層はＢＴ３．０＋ＨＳの高速モード（ＨＳモード）とＷＬＡＮの双方で動作する。ここで、図１に示すように、ＢＴ３．０＋ＨＳとＷＬＡＮをサポートする移動通信端末装置１に対してＢＴ３．０＋ＨＳとＷＬＡＮをサポートする対向装置２から動画を送信しようとした場合について説明する。
【０００９】
まず、対向装置２のＢＴの物理層及びデータリンク層であるＢＴ  ＬＣ／ＢＢ２ａと移動通信端末装置１のＢＴ  ＬＣ／ＢＢ１ａで接続確立を行う。その後、対向装置２のＷＬＡＮの物理層及びデータリンク層であるＷＬＡＮ  ＭＡＣ／ＰＨＹ２ｂと移動通信端末装置１のＷＬＡＮ  ＭＡＣ／ＰＨＹ１ｂを接続して動画の送受信を行う。ところで、移動通信端末装置１は無線基地局４を介して例えば公衆網のインターネットネットワークに接続される。
【００１０】
しかし、図２に示すように、対向装置２と移動通信端末装置１でＢＴの物理層及びデータリンク層の接続確立を行っている時点では、ＷＬＡＮをサポートする対向装置３のＷＬＡＮ  ＭＡＣ／ＰＨＹ３ｂから移動通信端末装置１のＷＬＡＮ  ＭＡＣ／ＰＨＹ１ｂが見えてしまう。このために、上記ＢＴの物理層及びデータリンク層の接続確立の途中で対向装置３のＷＬＡＮ  ＭＡＣ／ＰＨＹ３ｂが移動通信端末装置１のＷＬＡＮ  ＭＡＣ／ＰＨＹ１ｂと接続する場合がある。この場合、上記ＢＴの物理層及びデータリンク層の接続確立が終った後、対向装置２のＷＬＡＮ  ＭＡＣ／ＰＨＹ２ｂが移動通信端末装置１のＷＬＡＮ  ＭＡＣ／ＰＨＹ１ｂと接続することができない。あるいは、対向装置３のＷＬＡＮ  ＭＡＣ／ＰＨＹ３ｂが移動通信端末装置１のＷＬＡＮ  ＭＡＣ／ＰＨＹ１ｂとの接続を切断するまで待たなければ、対向装置２のＷＬＡＮ  ＭＡＣ／ＰＨＹ２ｂが移動通信端末装置１のＷＬＡＮ  ＭＡＣ／ＰＨＹ１ｂと接続できない等の問題があった。
【００１１】
開示の無線通信装置は、第１のデータ転送より高速の第２のデータ転送を遅滞なく行うことを目的とする。
【課題を解決するための手段】
【００１２】
開示の一実施形態による無線通信装置は、第１の無線通信方式の物理層及びデータリンク層を用いて対向装置との間で前記第１の無線通信方式の第１のデータ転送を行い、かつ、前記第１の無線通信方式とは異なる第２の無線通信方式の物理層及びデータリンク層を用いて対向装置との間で前記第１の無線通信方式で前記第１のデータ転送より高速の第２のデータ転送を行い、更に、前記第２の無線通信方式の物理層及びデータリンク層を用いて対向装置との間で前記第２の無線通信方式の第３のデータ転送を行う無線通信装置であって、
前記第２のデータ転送を指示されたとき、前記第２の無線通信方式の物理層及びデータリンク層が前記第３のデータ転送を行う動作を制限する動作制限手段を有する。
【発明の効果】
【００１３】
本実施形態によれば、第１のデータ転送より高速の第２のデータ転送を遅滞なく行うことができる。
【図面の簡単な説明】
【００１４】
【図１】従来技術における課題を説明するための図である。
【図２】従来技術における課題を説明するための図である。
【図３】移動通信端末装置の一実施形態のハードウェア構成図である。
【図４】ＢＴ／ＷＬＡＮ処理機能の一実施形態の機能構成図である。
【図５】ＢＴ／ＷＬＡＮコアプロトコルの一実施形態の構成図である。
【図６】移動通信端末装置と対向装置との間をＢＴ３．０＋ＨＳの高速モードで接続する第１実施形態のシーケンスを示す図である。
【図７】移動通信端末装置と対向装置との間をＢＴ３．０＋ＨＳの高速モードで接続する第２実施形態のシーケンスを示す図である。
【図８】移動通信端末装置と対向装置との間をＢＴ３．０＋ＨＳの高速モードで接続する第３実施形態のシーケンスを示す図である。
【図９】移動通信端末装置と対向装置との間をＢＴ３．０＋ＨＳの高速モードで接続する第４実施形態のシーケンスを示す図である。
【図１０】移動通信端末装置と対向装置との間をＢＴ３．０＋ＨＳの高速モードで接続する第５実施形態のシーケンスを示す図である。
【発明を実施するための形態】
【００１５】
以下、図面に基づいて実施形態を説明する。
【００１６】
＜移動通信端末装置のハードウェア構成＞
図３は移動通信端末装置の一実施形態のハードウェア構成図を示す。図３において、移動通信端末装置１０は、ＣＰＵ１１、記憶装置１２、ＢＴ通信装置１３、ＷＬＡＮ通信装置１４、無線通信装置１５、音声装置１６、操作装置１７、表示装置１８を有している。これらの無線ＣＰＵ１１から表示装置１８までのそれぞれはバス１９により相互に接続されている。
【００１７】
ＣＰＵ１１は記憶装置１２に記憶されている各種処理プログラムを実行する。すなわち、装置各部の制御処理、送受信信号の符号化及び復号処理、ＢＴ通信装置１３又はＷＬＡＮ通信装置１４を用いたＢＴ／ＷＬＡＮ処理などである。また、ＣＰＵ１１は記憶装置１２に送受信データや設定情報を含む各種情報を保存する。
【００１８】
ＢＴ通信装置１３は、パーソナルコンピュータ等の対向装置や他の移動通信端末装置のＢＴ通信装置との間でブルートゥース（登録商標）による近距離無線通信でデータの送受信を行う。ＷＬＡＮ通信装置１４はパーソナルコンピュータ等の対向装置との間でＷＬＡＮによるデータの送受信を行う。
【００１９】
無線通信装置１５は基地局との無線通信を行う。無線通信装置１５はＣＰＵ１１又は音声装置１６から供給される送信信号を変調して図示しないアンテナから基地局に送信し、また、アンテナで受信した基地局からの信号を復調してＣＰＵ１１又は音声装置１６に供給する。
【００２０】
音声装置１６はマイクロホンにて変換されたアナログ音声信号をデジタル化して無線通信装置１５又はＣＰＵ１１に供給し、また、無線通信装置１５又はＣＰＵ１１から供給されるデジタル音声信号をアナログ化してスピーカに発音させる。
【００２１】
操作装置１７は電話番号や文字等の入力を行うテンキー、通話キー、選択キー、決定キー、クリアキー等の各種キーを有しており、操作装置１７の入力はＣＰＵ１１に供給される。表示装置１８はＣＰＵ１１の制御により、各種文字情報や画像情報などの画面表示を行う。
【００２２】
＜ＢＴ／ＷＬＡＮ処理機能の構成＞
図４はＣＰＵ１１で動作するプログラムによって実行されるＢＴ／ＷＬＡＮ処理機能の一実施形態の機能構成図を示す。図４において、端末制御部２１は無線通信端末装置のソフトウェア全体を制御する。すなわち、端末制御部２１は近距離無線制御部２２、ＢＴ通信制御部２３、ＷＬＡＮ通信制御部２６、更には無線通信装置１５をも制御する。
【００２３】
近距離無線制御部２２はＢＴ制御部２３とＷＬＡＮ通信制御部２６との排他制御を行う。すなわち、近距離無線制御部２２はＷＬＡＮとしての動作を期待する対向装置が自装置のＢＴ３．０＋ＨＳの高速モードで動作するＷＬＡＮ  ＭＡＣ／ＰＨＹに接続することがないよう制御する。また、近距離無線制御部２２はＢＴ３．０＋ＨＳの高速モードとしての動作を期待する対向装置が自装置のＷＬＡＮモードで動作するＷＬＡＮ  ＭＡＣ／ＰＨＹに接続を要求したりすることがないよう制御する。
【００２４】
ＢＴ通信制御部２３は、ＢＴ−ＢＲ／ＥＤＲ通信制御部２４とＢＴ−ＨＳ通信制御部２５の切り替え制御つまりＡＭＰを行ってＢＴ通信を行う。ＢＴ−ＢＲ／ＥＤＲ通信制御部２４は既存のＢＴ２．１＋ＢＲ（Ｂａｓｉｃ  Ｒａｔｅ）／ＥＤＲ（Ｅｎｈａｎｃｅｄ  Ｄａｔａ  Ｒａｔｅ）通信を実現する。ＢＴ−ＨＳ通信制御部２５はＢＴ３．０＋ＨＳの高速通信を実現する。また、ＷＬＡＮ通信制御部２６はＩＥＥＥ８０２．１１で規定されるＷＬＡＮ通信の制御を行う。
【００２５】
＜ＢＴ／ＷＬＡＮコアプロトコルの構成＞
図５はＢＴ／ＷＬＡＮコアプロトコルの一実施形態の構成図を示す。図５において、Ｂ物理層及びデータリンク層であるＢＴ  ＬＣ／ＢＢ（ＢａｓｅＢａｎｄ／Ｌｉｎｋ  Ｃｏｎｔｒｏｌｌｅｒ）３１は物理層（ＰＨＹ）で提供される電波を利用して、ＢＴ通信のベースとなる通信リンクを提供する。同様に、ＷＬＡＮの物理層及びデータリンク層であるＷＬＡＮ  ＭＡＣ／ＰＨＹ（Ｍｅｄｉａ  Ａｃｃｅｓｓ  Ｃｏｎｔｒｏｌ／ＰＨＹｓｉｃａｌ）３２はＷＬＡＮ通信のベースとなる通信リンクを提供する。
【００２６】
ＢＴ  ＨＣＩ（Ｈｏｓｔ  Ｃｏｎｔｒｏｌｌｅｒ  Ｉｎｔｅｒｆａｃｅ）３３はＢＴプロトコル３４をＢＴ  ＬＣ／ＢＢ３１に接続する。上記のＢＴ  ＨＣＩ３３及びＢＴプロトコル３４が図４のＢＴ−ＢＲ／ＥＤＲ通信制御部２４を実現する。
【００２７】
ＢＴ  ＨＣＩ（ＡＭＰ）３５はＢＴプロトコル３４をＷＬＡＮ  ＭＡＣ／ＰＨＹ３２に接続する。上記のＢＴ  ＨＣＩ（ＡＭＰ）３５及びＢＴプロトコル３４が図４のＢＴ−ＨＳ通信制御部２５を実現する。
【００２８】
更に、ＷＬＡＮ  ＨＣＩ３６はＷＬＡＮプロトコル３７をＷＬＡＮ  ＭＡＣ／ＰＨＹ３２に接続する。上記のＷＬＡＮ  ＨＣＩ３６及びＷＬＡＮプロトコル３７が図４のＷＬＡＮ通信制御部２６を実現する。
【００２９】
ＡＭＰマネージャ３８は近距離無線制御部２２の制御により、ＢＴ−ＢＲ／ＥＤＲ通信制御部２４つまりＢＴ  ＨＣＩ３３及びＢＴプロトコル３４と、ＢＴ−ＨＳ通信制御部２５つまりＢＴ  ＨＣＩ（ＡＭＰ）３５及びＢＴプロトコル３４との切り替えを行う。上記のＡＭＰマネージャ３８が図４のＢＴ通信制御部２３を実現する。
【００３０】
＜第１実施形態のシーケンス＞
図６は移動通信端末装置と対向装置との間をＢＴ３．０＋ＨＳの高速モードで接続する第１実施形態のシーケンスを示す。
【００３１】
シーケンスＳＱ１では、移動通信端末装置１０の操作装置１７からＢＴ３．０＋ＨＳサービス開始の指示が入力される。移動通信端末装置１０の近距離無線制御部２２はＢＴ通信制御部２３にＢＲ／ＥＤＲ接続を指示する。これにより、ＢＴ−ＢＲ／ＥＤＲ通信制御部２４は対向装置Ｘに対しＢＲ／ＥＤＲ接続要求を行う。対向装置Ｘとの間のＢＲ／ＥＤＲ接続が確立すると、ＢＴ通信制御部２３はＢＲ／ＥＤＲ接続確立の応答を近距離無線制御部２２に通知する。これにより、移動通信端末装置１０と対向装置ＸとのＢＲ／ＥＤＲ接続が確立する。
【００３２】
なお、移動通信端末装置１０を自装置とも呼ぶ。また、シーケンスＳＱ１以前にＷＬＡＮ通信制御部２６はＷＬＡＮ物理リンク確立要求のビーコンをＷＬＡＮ  ＭＡＣ／ＰＨＹ３２からブロードキャストしている（Ｂｅａｃｏｎｉｎｇ（ＷＬＡＮ））。ここで、ビーコンとはＷＬＡＮ  ＭＡＣ／ＰＨＹ３２が送信する管理用フレームである。
【００３３】
シーケンスＳＱ２では、近距離無線制御部２２はＢＲ／ＥＤＲ接続を使用するプロファイルのＢＴ３．０＋ＨＳの利用可否をチェックする。利用可能であれば近距離無線制御部２２はＡＭＰ接続と判断する。なお、プロファイルはＢＴで通信する際に使用される機器の種類ごとに策定されたプロトコルの標準である。
【００３４】
シーケンスＳＱ３では、ＡＭＰ接続と判断したため、近距離無線制御部２２はＷＬＡＮ通信制御部２６のＷＬＡＮ  ＭＡＣ／ＰＨＹ３２にＩＥＥＥ８０２．１１で規定されるＷＬＡＮ通信を停止させる。これにより、ＷＬＡＮ通信制御部２６はＷＬＡＮ  ＭＡＣ／ＰＨＹ３２からのビーコンのブロードキャストを停止する（Ｓｔｏｐ  Ｂｅａｃｏｎｉｎｇ（ＷＬＡＮ））。
【００３５】
次に、シーケンスＳＱ４で、ＷＬＡＮ通信制御部２６は対向装置Ｘと異なる他の対向装置ＹからＷＬＡＮとしての接続要求があっても、このＷＬＡＮ接続要求を拒否する。
【００３６】
こののち、シーケンスＳＱ５では、近距離無線制御部２２はＢＴ通信制御部２３にＡＭＰ接続を指示する。ＢＴ通信制御部２３は対向装置Ｘとの間でＡＭＰ接続のためのネゴシエーションを行う。
【００３７】
次に、シーケンスＳＱ６では、ＢＴ通信制御部２３はＢＴ−ＨＳ通信制御部２５にＷＬＡＮ物理リンク確立を指示する。これにより、ＢＴ−ＨＳ通信制御部２５はＷＬＡＮ物理リンク確立要求（Ｓｔａｒｔ  Ｂｅａｃｏｎｉｎｇ）のビーコンをＷＬＡＮ  ＭＡＣ／ＰＨＹ３２からブロードキャストする。こののち、ＢＴ通信制御部２３は対向装置Ｘに対しＡＭＰ要求を行う。そして、ＢＴ通信制御部２３と対向装置ＸとのＷＬＡＮ物理リンクが確立すると、ＢＴ通信制御部２３はＡＭＰ接続確立の応答を近距離無線制御部２２に通知する。これにより、移動通信端末装置１０と対向装置ＸとのＡＭＰ接続が確立して、遅滞することなくＢＴ３．０＋ＨＳ通信が可能となる。
【００３８】
＜第２実施形態のシーケンス＞
図７は移動通信端末装置と対向装置との間をＢＴ３．０＋ＨＳの高速モードで接続する第２実施形態のシーケンスを示す。
【００３９】
シーケンスＳＱ１１では、移動通信端末装置１０の操作装置１７からＢＴ３．０＋ＨＳサービス開始の指示が入力される。移動通信端末装置１０の近距離無線制御部２２はＢＴ通信制御部２３にＢＲ／ＥＤＲ接続を指示する。これにより、ＢＴ−ＢＲ／ＥＤＲ通信制御部２４は対向装置Ｘに対しＢＲ／ＥＤＲ接続要求を行う。対向装置Ｘとの間のＢＲ／ＥＤＲ接続が確立すると、ＢＴ通信制御部２３はＢＲ／ＥＤＲ接続確立の応答を近距離無線制御部２２に通知する。これにより、移動通信端末装置１０と対向装置ＸとのＢＲ／ＥＤＲ接続が確立する。
【００４０】
なお、シーケンスＳＱ１１以前にＷＬＡＮ通信制御部２６はＷＬＡＮ物理リンク確立要求のビーコンをＷＬＡＮ  ＭＡＣ／ＰＨＹ３２からブロードキャストしている。
【００４１】
シーケンスＳＱ１２では、ＡＭＰ接続と判断したため、近距離無線制御部２２はＢＲ／ＥＤＲ接続を使用するプロファイルのＢＴ３．０＋ＨＳの利用可否をチェックする。利用可能であれば近距離無線制御部２２はＡＭＰ接続と判断する。
【００４２】
シーケンスＳＱ１３では、近距離無線制御部２２はＢＴ通信制御部２３にＡＭＰ接続を指示する。ＢＴ通信制御部２３は対向装置Ｘとの間でＡＭＰ接続のためのネゴシエーションを行い、ネゴシエーションが完了したことを近距離無線制御部２２に通知する。
【００４３】
シーケンスＳＱ１４では、近距離無線制御部２２はＷＬＡＮ通信制御部２６のＷＬＡＮ  ＭＡＣ／ＰＨＹ３２にＩＥＥＥ８０２．１１で規定されるＷＬＡＮ通信を停止させる。これにより、ＷＬＡＮ通信制御部２６はＷＬＡＮ  ＭＡＣ／ＰＨＹ３２からのビーコンのブロードキャストを停止する。
【００４４】
次に、シーケンスＳＱ１５で、ＷＬＡＮ通信制御部２６は対向装置Ｘと異なる他の対向装置ＹからＷＬＡＮとしての接続要求があっても、このＷＬＡＮ接続要求を拒否する。
【００４５】
こののち、シーケンスＳＱ１６では、ＢＴ通信制御部２３はＢＴ−ＨＳ通信制御部２５にＷＬＡＮ物理リンク確立を指示する。これにより、ＢＴ−ＨＳ通信制御部２５はＷＬＡＮ物理リンク確立要求のビーコンをＷＬＡＮ  ＭＡＣ／ＰＨＹ３２からブロードキャストする。こののち、ＢＴ通信制御部２３は対向装置Ｘに対しＡＭＰ要求を行う。そして、ＢＴ通信制御部２３と対向装置ＸとのＷＬＡＮ物理リンクが確立すると、ＢＴ通信制御部２３はＡＭＰ接続確立の応答を近距離無線制御部２２に通知する。これにより、移動通信端末装置１０と対向装置ＸとのＡＭＰ接続が確立して、遅滞することなくＢＴ３．０＋ＨＳ通信が可能となる。
【００４６】
この実施形態では、先に、ＡＭＰ接続のためのネゴシエーションを実行し、ネゴシエーションが成功したときにＷＬＡＮ通信制御部２６は他の対向装置ＹからのＷＬＡＮとしての接続要求を拒否する。このため、対向装置ＸがＡＭＰ接続不可の場合に無駄に他の対向装置ＹからのＷＬＡＮとしての接続要求を拒否することを避けることができる。
【００４７】
＜第３実施形態のシーケンス＞
図８は移動通信端末装置と対向装置との間をＢＴ３．０＋ＨＳの高速モードで接続する第３実施形態のシーケンスを示す。
【００４８】
シーケンスＳＱ２１では、移動通信端末装置１０の操作装置１７からＢＴ３．０＋ＨＳサービス開始の指示が入力される。移動通信端末装置１０の近距離無線制御部２２はＢＴ通信制御部２３にＢＲ／ＥＤＲ接続を指示する。これにより、ＢＴ−ＢＲ／ＥＤＲ通信制御部２４は対向装置Ｘに対しＢＲ／ＥＤＲ接続要求を行う。対向装置Ｘとの間のＢＲ／ＥＤＲ接続が確立すると、ＢＴ通信制御部２３はＢＲ／ＥＤＲ接続確立の応答を近距離無線制御部２２に通知する。これにより、移動通信端末装置１０と対向装置ＸとのＢＲ／ＥＤＲ接続が確立する。
【００４９】
なお、シーケンスＳＱ２１以前にＷＬＡＮ通信制御部２６はＷＬＡＮ物理リンク確立要求のビーコンをＷＬＡＮ  ＭＡＣ／ＰＨＹ３２からブロードキャストしている。
【００５０】
シーケンスＳＱ２２では、近距離無線制御部２２はＢＲ／ＥＤＲ接続を使用するプロファイルのＢＴ３．０＋ＨＳの利用可否をチェックする。利用可能であれば近距離無線制御部２２はＡＭＰ接続と判断する。
【００５１】
シーケンスＳＱ２３では、ＡＭＰ接続と判断したため、近距離無線制御部２２はＢＴ通信制御部２３にＡＭＰ接続を指示する。ＢＴ通信制御部２３は対向装置Ｘとの間でＡＭＰ接続のためのネゴシエーションを行い、ネゴシエーションが完了したことを近距離無線制御部２２に通知する。
【００５２】
シーケンスＳＱ２４では、近距離無線制御部２２はＷＬＡＮ通信制御部２６のＷＬＡＮ  ＭＡＣ／ＰＨＹ３２にＩＥＥＥ８０２．１１で規定されるＷＬＡＮ通信を停止させる。これにより、ＷＬＡＮ通信制御部２６は対向装置ＹからＷＬＡＮ機能が見えないように、ＢＴのＡＭＰとしてのＳＳＩＤだけをブロードキャストして公開する。なお、ＳＳＩＤはＷＬＡＮの識別名である。
【００５３】
次に、シーケンスＳＱ２５で、ＷＬＡＮ通信制御部２６は対向装置Ｘと異なる他の対向装置ＹからＷＬＡＮとしての接続要求があっても、このＷＬＡＮ接続要求を拒否する。
【００５４】
次に、シーケンスＳＱ２６では、ＢＴ通信制御部２３はＢＴ−ＨＳ通信制御部２５にＷＬＡＮ物理リンク確立を指示する。これにより、ＢＴ−ＨＳ通信制御部２５はＷＬＡＮ物理リンク確立要求のビーコンをＷＬＡＮ  ＭＡＣ／ＰＨＹ３２からブロードキャストする。こののち、ＢＴ通信制御部２３は対向装置Ｘに対しＡＭＰ要求を行う。そして、ＢＴ通信制御部２３と対向装置ＸとのＷＬＡＮ物理リンクが確立すると、ＢＴ通信制御部２３はＡＭＰ接続確立の応答を近距離無線制御部２２に通知する。これにより、移動通信端末装置１０と対向装置ＸとのＡＭＰ接続が確立して、遅滞することなくＢＴ３．０＋ＨＳ通信が可能となる。
【００５５】
ところで、上記の第１〜第３実施形態では移動通信端末装置１０がアクセスポイントつまり親機であり、対向装置Ｘがステーションつまり子機である場合について説明したが、以下に移動通信端末装置１０がステーションで対向装置Ｘがアクセスポイントである場合について説明する。
【００５６】
＜第４実施形態のシーケンス＞
図９は移動通信端末装置と対向装置との間をＢＴ３．０＋ＨＳの高速モードで接続する第４実施形態のシーケンスを示す。この実施形態は図６の実施形態における移動通信端末装置１０をアクセスポイントからステーションに置き換えている。
【００５７】
シーケンスＳＱ３１では、対向装置Ｘに対してＢＴ３．０＋ＨＳサービス開始を指示する。これにより、対向装置Ｘは移動通信端末装置１０のＢＴ−ＢＲ／ＥＤＲ通信制御部２４に対しＢＲ／ＥＤＲ接続要求を行う。対向装置Ｘとの間のＢＲ／ＥＤＲ接続が確立すると、ＢＴ通信制御部２３はＢＲ／ＥＤＲ接続確立の応答を近距離無線制御部２２に通知する。これにより、移動通信端末装置１０と対向装置ＸとのＢＲ／ＥＤＲ接続が確立する。
【００５８】
なお、シーケンスＳＱ３１以前にＷＬＡＮ通信制御部２６はＷＬＡＮ  ＭＡＣ／ＰＨＹ３２をＷＬＡＮ物理リンク確立要求のビーコンを受信するＷＬＡＮ物理リンク確立要求待ち状態（Ｌｉｓｔｅｎｉｎｇ（ＷＬＡＮ））としている。
【００５９】
シーケンスＳＱ３２では、近距離無線制御部２２はＢＲ／ＥＤＲ接続を使用するプロファイルのＢＴ３．０＋ＨＳの利用可否をチェックする。利用可能であれば近距離無線制御部２２はＡＭＰ接続と判断する。
【００６０】
シーケンスＳＱ３３では、ＡＭＰ接続と判断したため、近距離無線制御部２２はＷＬＡＮ通信制御部２６のＷＬＡＮ  ＭＡＣ／ＰＨＹ３２にＩＥＥＥ８０２．１１で規定されるＷＬＡＮ通信を停止させる。これにより、ＷＬＡＮ通信制御部２６はＷＬＡＮ  ＭＡＣ／ＰＨＹ３２のＷＬＡＮ物理リンク確立要求の受信を停止させてＷＬＡＮ物理リンク確立要求待ち状態を終了させる（Ｓｔｏｐ  Ｌｉｓｔｅｎｉｎｇ（ＷＬＡＮ））。
【００６１】
次に、シーケンスＳＱ３４で、ＷＬＡＮ通信制御部２６は対向装置Ｘと異なる他の対向装置ＹからＷＬＡＮとしての接続要求があっても、このＷＬＡＮ接続要求を拒否する。
【００６２】
こののち、シーケンスＳＱ３５では、近距離無線制御部２２はＢＴ通信制御部２３にＡＭＰ接続を指示する。ＢＴ通信制御部２３は対向装置Ｘとの間でＡＭＰ接続のためのネゴシエーションを行う。
【００６３】
次に、シーケンスＳＱ３６では、ＢＴ通信制御部２３はＢＴ−ＨＳ通信制御部２５にＷＬＡＮ物理リンク確立要求待ちを指示する。これにより、ＢＴ−ＨＳ通信制御部２５はＷＬＡＮ  ＭＡＣ／ＰＨＹ３２をＷＬＡＮ物理リンク確立要求のビーコンの受信を開始させてＷＬＡＮ物理リンク確立要求待ち状態を開始させる（Ｓｔａｒｔ  Ｌｉｓｔｅｎｉｎｇ）。こののち、ＢＴ通信制御部２３は対向装置Ｘに対しＡＭＰ要求を行う。そして、ＢＴ通信制御部２３と対向装置ＸとのＷＬＡＮ物理リンクが確立すると、ＢＴ通信制御部２３はＡＭＰ接続確立の応答を近距離無線制御部２２に通知する。これにより、移動通信端末装置１０と対向装置ＸとのＡＭＰ接続が確立して、遅滞することなくＢＴ３．０＋ＨＳ通信が可能となる。
【００６４】
＜第５実施形態のシーケンス＞
図１０は移動通信端末装置と対向装置との間をＢＴ３．０＋ＨＳの高速モードで接続する第５実施形態のシーケンスを示す。この実施形態は図８の実施形態における移動通信端末装置１０をアクセスポイントからステーションに置き換えている。
【００６５】
シーケンスＳＱ４１では、対向装置Ｘに対してＢＴ３．０＋ＨＳサービス開始を指示する。これにより、対向装置Ｘは移動通信端末装置１０のＢＴ−ＢＲ／ＥＤＲ通信制御部２４に対しＢＲ／ＥＤＲ接続要求を行う。対向装置Ｘとの間のＢＲ／ＥＤＲ接続が確立すると、ＢＴ通信制御部２３はＢＲ／ＥＤＲ接続確立の応答を近距離無線制御部２２に通知する。これにより、移動通信端末装置１０と対向装置ＸとのＢＲ／ＥＤＲ接続が確立する。
【００６６】
なお、シーケンスＳＱ４１以前にＷＬＡＮ通信制御部２６はＷＬＡＮ  ＭＡＣ／ＰＨＹ３２をＷＬＡＮ物理リンク確立要求のビーコンを受信するＷＬＡＮ物理リンク確立要求待ち状態としている。
【００６７】
シーケンスＳＱ４２では、近距離無線制御部２２はＢＲ／ＥＤＲ接続を使用するプロファイルのＢＴ３．０＋ＨＳの利用可否をチェックする。利用可能であれば近距離無線制御部２２はＡＭＰ接続と判断する。
【００６８】
シーケンスＳＱ４３では、ＡＭＰ接続と判断したため、近距離無線制御部２２はＢＴ通信制御部２３にＡＭＰ接続を指示する。ＢＴ通信制御部２３は対向装置Ｘとの間でＡＭＰ接続のためのネゴシエーションを行い、ネゴシエーションが完了したことを近距離無線制御部２２に通知する。
【００６９】
シーケンスＳＱ４４では、近距離無線制御部２２はＷＬＡＮ通信制御部２６のＷＬＡＮ  ＭＡＣ／ＰＨＹ３２にＩＥＥＥ８０２．１１で規定されるＷＬＡＮ通信を停止させる。これにより、ＷＬＡＮ通信制御部２６は対向装置ＹからＷＬＡＮ機能が見えないように、ＢＴのＡＭＰとしてのＳＳＩＤだけをブロードキャストする。
【００７０】
次に、シーケンスＳＱ４５で、ＷＬＡＮ通信制御部２６は対向装置Ｘと異なる他の対向装置ＹからＷＬＡＮとしての接続要求があっても、このＷＬＡＮ接続要求を拒否する。
【００７１】
次に、シーケンスＳＱ４６では、ＢＴ通信制御部２３はＢＴ−ＨＳ通信制御部２５にＷＬＡＮ物理リンク確立要求待ちを指示する。これにより、ＢＴ−ＨＳ通信制御部２５はＷＬＡＮ  ＭＡＣ／ＰＨＹ３２をＷＬＡＮ物理リンク確立要求のビーコンの受信を開始させてＷＬＡＮ物理リンク確立要求待ち状態を開始させる。こののち、ＢＴ通信制御部２３は対向装置Ｘに対しＡＭＰ要求を行う。そして、ＢＴ通信制御部２３と対向装置ＸとのＷＬＡＮ物理リンクが確立すると、ＢＴ通信制御部２３はＡＭＰ接続確立の応答を近距離無線制御部２２に通知する。これにより、移動通信端末装置１０と対向装置ＸとのＡＭＰ接続が確立して、遅滞することなくＢＴ３．０＋ＨＳ通信が可能となる。
【００７２】
上記実施形態によれば、ＢＴ３．０＋ＨＳとＷＬＡＮをサポートする移動通信端末装置で、ＷＬＡＮとしての動作を期待する対向装置が自装置のＢＴ３．０＋ＨＳの高速モードで動作するＷＬＡＮ  ＭＡＣ／ＰＨＹに接続することがないように制御でき、ＢＴ３．０＋ＨＳの高速モードとしての動作を期待する対向装置が自装置のＷＬＡＮモードで動作するＷＬＡＮ  ＭＡＣ／ＰＨＹに接続を要求したりすることがないよう制御できる。
【００７３】
なお、上記実施形態では移動通信端末装置を例に説明したが、移動通信端末装置に限らず、図６の近距離無線制御部２２、ＢＴ通信制御部２３、ＢＴ−ＢＲ／ＥＤＲ通信制御部２４、ＢＴ−ＨＳ通信制御部２５、ＷＬＡＮ通信制御部２６を有する無線通信装置であれば移動通信端末装置と同様に適用できる。
（付記１）
第１の無線通信方式の物理層及びデータリンク層を用いて対向装置との間で前記第１の無線通信方式の第１のデータ転送を行い、かつ、前記第１の無線通信方式とは異なる第２の無線通信方式の物理層及びデータリンク層を用いて対向装置との間で前記第１の無線通信方式で前記第１のデータ転送より高速の第２のデータ転送を行い、更に、前記第２の無線通信方式の物理層及びデータリンク層を用いて対向装置との間で前記第２の無線通信方式の第３のデータ転送を行う無線通信装置であって、
前記第２のデータ転送を指示されたとき、前記第２の無線通信方式の物理層及びデータリンク層が前記第３のデータ転送を行う動作を制限する動作制限手段
を有することを特徴とする無線通信装置。
（付記２）
付記１記載の無線通信装置において、
前記動作制限手段は、前記第２のデータ転送の指示により、前記第１の無線通信方式の第１のデータ転送を用いて前記対向装置との間で前記第２のデータ転送を行うためのネゴシエーションを行う前に、前記第２の無線通信方式の物理層及びデータリンク層が前記第３のデータ転送を行う動作を停止させる
ことを特徴とする無線通信装置。
（付記３）
付記１記載の無線通信装置において、
前記動作制限手段は、前記第２のデータ転送の指示により、前記第１の無線通信方式の第１のデータ転送を用いて前記対向装置との間で前記第２のデータ転送を行うためのネゴシエーションを行った後に、前記第２の無線通信方式の物理層及びデータリンク層が前記第３のデータ転送を行う動作を停止させる
ことを特徴とする無線通信装置。
（付記４）
付記１記載の無線通信装置において、
前記動作制限手段は、前記第２のデータ転送の指示により、前記第１の無線通信方式の第１のデータ転送を用いて前記対向装置との間で前記第２のデータ転送を行うためのネゴシエーションを行った後に、前記第２の無線通信方式の物理層及びデータリンク層に対する前記第３のデータ転送の要求を受け付けを拒否し、前記第２の無線通信方式の物理層及びデータリンク層に対する前記第２のデータ転送の要求を受け付ける
ことを特徴とする無線通信装置。
（付記５）
付記４記載の無線通信装置において、
前記動作制限手段は、前記第２のデータ転送のための前記第２の無線通信方式の物理層及びデータリンク層の識別名を前記対向装置に対して公開する
ことを特徴とする無線通信装置。
（付記６）
付記２又は３記載の無線通信装置において、
前記停止手段は、前記第２の無線通信方式の物理層及びデータリンク層からのリンク確立要求の送信を停止して前記第３のデータ転送を行う動作を停止させる
ことを特徴とする無線通信装置。
（付記７）
付記２又は３記載の無線通信装置において、
前記停止手段は、前記第２の無線通信方式の物理層及びデータリンク層でのリンク確立要求の受信を停止して前記第３のデータ転送を行う動作を停止させる
ことを特徴とする無線通信装置。
【符号の説明】
【００７４】
１０  移動通信端末装置
１１  ＣＰＵ
１２  記憶装置
１３  ＢＴ通信装置
１４  ＷＬＡＮ通信装置
１５  無線通信装置
１６  音声装置
１７  操作装置
１８  表示装置
２１  端末制御部
２２  近距離無線制御部
２３  ＢＴ制御部
２４  ＢＴ−ＢＲ／ＥＤＲ通信制御部
２５  ＢＴ−ＨＳ通信制御部
２６  ＷＬＡＮ通信制御部
３１  ＢＴ  ＬＣ／ＢＢ
３２  ＷＬＡＮ  ＭＡＣ／ＰＨＹ
３３  ＢＴ  ＨＣＩ
３４  ＢＴプロトコル
３５  ＢＴ  ＨＣＩ（ＡＭＰ）
３６  ＷＬＡＮ  ＨＣＩ
３７  ＷＬＡＮプロトコル
３８  ＡＭＰマネージャ
【図１】
0005708370.tif 000002
【図２】
0005708370.tif 000003
【図３】
0005708370.tif 000004
【図４】
0005708370.tif 000005
【図５】
0005708370.tif 000006
【図６】
0005708370.tif 000007
【図７】
0005708370.tif 000008
【図８】
0005708370.tif 000009
【図９】
0005708370.tif 000010
【図１０】
0005708370.tif 000011